(57)【要約】【課題】車両照合装置において駐車場に入場してくる車両の運転者を眩惑せずにその車両を撮影できる【解決手段】駐車場２４が付設された集合住宅の住戸毎に駐車場を利用する車両の番号が予め登録された登録装置１５と、駐車場２４に入場してきた車両３を検知して防眩撮影する夜間対応カメラ装置１２と、カメラ装置１２の撮影した車両画像から車両の番号を読み取る読取装置１６と、読取装置１６の読み取った車両の番号が登録装置１５に登録されているか否かを照合する照合装置１７とを備える。【選択図】図１
2016192113.tif 000002
【特許請求の範囲】
【請求項１】
駐車場が付設された集合住宅の住戸毎に前記駐車場を利用する車両の番号が予め登録された登録装置と、
前記駐車場の入口に入場してきた車両を検知して防眩撮影する夜間対応カメラ装置と、
前記カメラ装置の撮影した車両画像から車両の番号を読み取る読取装置と、
前記読取装置の読み取った車両の番号が前記登録装置に登録されているか否かを照合する照合装置とを備えた車両照合装置。
【請求項２】
請求項１に記載の車両照合装置において、
前記カメラ装置は赤外線照明装置を備えていることを特徴とする車両照合装置。
【請求項３】
請求項１又は２に記載の車両照合装置において、
前記登録装置は前記住宅情報盤からのリモート操作によって車両の番号を登録することを特徴とする車両照合装置。
【発明の詳細な説明】
【技術分野】
【０００１】
本発明は集合住宅に付設された駐車場に入場してくる車両を検知して照合する車両照合装置に関する。
【背景技術】
【０００２】
前記のような装置の従来例として次の特許文献等がある。同文献には、駐車場の入口に設置されたカメラで車両を撮影して車両の番号を読み取り、その番号に対応した住戸の家電機器を駐車場の入口に設けられた操作端末からリモート操作することが記載されている。また読み取った車両の番号に対応した住戸のスピーカから帰宅を報知することも記載されている。
【先行技術文献】
【特許文献】
【０００３】
【特許文献１】特開平０８−１０６５７９号公報
【発明の概要】
【発明が解決しようとする課題】
【０００４】
しかしながら前記特許文献に記載されているような構成では、夜間に駐車場に入場してきた車両をカメラで撮影しようとすれば、照明装置等でその車両を照らす必要があり、その際運転者を眩惑してしまうことが考えられる。本発明はそのような問題に着目してなされたものであり、運転者を眩惑せずに車両を撮影できる車両照合装置を提供することを目的としている。
【課題を解決するための手段】
【０００５】
本発明は、駐車場が付設された集合住宅の住戸毎に前記駐車場を利用する車両の番号が予め登録された登録装置と、前記駐車場の入口に入場してきた車両を検知して防眩撮影する夜間対応カメラ装置と、前記カメラ装置の撮影した車両画像から車両の番号を読み取る読取装置と、前記読取装置の読み取った車両の番号が前記登録装置に登録されているか否かを照合する照合装置とを備えている。
【発明の効果】
【０００６】
本発明による車両照合装置は運転者を眩惑せずに車両を撮影するので、撮影時の眩惑を原因とした事故が防止できる。
【図面の簡単な説明】
【０００７】
【図１】本実施形態とされる車両照合装置の基本構成を示すブロック図である。
【図２】本実施形態における車両の番号の記憶態様を示すテーブルの例である。
【図３】本実施形態の基本動作を示すフローチャートである。
【発明を実施するための形態】
【０００８】
図１は本実施形態とされる車両照合装置の基本構成を示している。以下、この図に従ってその構成要素を説明していく。
【０００９】
集合住宅の住戸の各々には住宅情報盤２０、…が設置されている。住宅情報盤２０はロビーインターホン２１、管理室情報盤２２と組み合わされて集合用インターホン装置２を構成している。制御装置２３はロビーインターホン２１と住宅情報盤２０との呼出通話を制御する通信制御装置である。集合用インターホン装置２の機能は従来と同様なので説明を省略する。
【００１０】
また集合住宅には居住者用の駐車場２４が付設されている。駐車場２４は複数の占有スペース２４ａ、…が設けられている。２４ｂは駐車場２４の入口である。駐車場２４を利用する住戸は、その住戸の車両３を車両照合装置１に予め登録しておく必要がある。
【００１１】
車両照合装置１は駐車場２４に入場してきた車両３を検知して照合する装置であり、入口２４ｂ近傍に設置された車両検知センサ１１、夜間対応カメラ装置１２が有線又は無線接続されている。
【００１２】
車両検知センサ１１は駐車場２４の入口２４ｂに入場してきた車両３を検知するように構成される。２以上のセンサを用いれば、入場してくる車両３と出場していく車両３とを区別して検知できる。センサの種別は特に制限されず、ループコイル式センサ、磁気式センサ、光電式センサ、超音波式センサ、マイクロ波式センサ等を用いることができる。
【００１３】
例えばループ式センサであれば、ループコイルを入口２４ｂに埋設し、ループコイルの上を車両３が通過したときに生じるインダクタンス変化から車両３を検知する。磁気式センサは入口２４ｂに敷設し、磁気センサの上を車両３が通過したときに生じる磁気レベルの変化によって車両３を検知する。光電式センサであれば入口２４ｂの両側に発光部と受光部とを設置し、発光部から受光部に向けて照射した赤外線ビームが車両３によって遮られたことを検知する。マイクロ波式センサは入口２４ｂの近傍に設置され、マイクロ波レーダーによって車両３を検知する。
【００１４】
カメラ装置１２はＣＣＤ又はＣＭＯＳ撮像素子やレンズ等からなり車両検知センサ１１が車両３を検知したときに、その車両３を自動的に撮影する装置である。カメラ装置１２は昼間、夜間のいずれであっても運転者を眩惑せずに車両３を撮影する（防眩撮影）ように構成されている。特に夜間撮影では事故防止のため照明によって運転者を眩惑しないことが重要である。そのためカメラ装置１２は例えば赤外線によって照明を行う赤外線照明装置１３を備えてもよい。赤外線による照明は目に見えないので夜間であっても運転者を眩惑することがない。赤外線照明装置１３は赤外線ＬＥＤ等で構成できる。そうした場合、カメラ装置１２は周囲の明るさを自動測定して赤外線照明装置１３の点灯、不点灯を決定してもよい。周囲の明るさは例えば赤外線照明装置１３を不点灯として撮影動作を行い、その撮影画像の平均明るさから求めることができる。あるいはカメラ装置１２に時計回路を設け、時刻に基づいて周囲の明るさを推定し赤外線照明装置１３の点灯、不点灯を決定してもよい。なお近時、赤外線領域に感度を有する受光素子を用い、夜間撮影用に複数の赤外線ＬＥＤを備えた監視カメラ等が市販されているので、カメラ装置１２としてそのようなものを採用してもよい。
【００１５】
カメラ装置１２の変形例（図示なし）では、照明装置として可視光を照射する光源を用い、その照射野をレンズやフードで規制することで防眩してもよい。この場合、照明装置は運転者の目の高さよりも低い位置（1メートル未満）に設置して照射野を水平以下に規制する。そうすれば運転者を眩惑せずに、運転者の目の高さよりも低い位置にあるナンバープレートを問題なく撮影できる。
【００１６】
車両照合装置１は本体部１０の基本構成として、通信装置１４、登録装置１５、読取装置１６、照合装置１７、録画装置１８を備えている。
【００１７】
通信装置１４は、ネットワーク回路等からなり、所定の通信方式で制御装置２３を介し住宅情報盤２０との間で種々の信号を伝送するように構成されている。
【００１８】
登録装置１５はＥＥＰＲＯＭ等の書換え可能なメモリからなり、駐車場２４を利用する車両３の番号が予め登録される。登録装置１５は通信装置１４によって住宅情報盤２０、管理室情報盤２２と通信することが可能であり、例えば住宅情報盤２０からのリモート操作によって車両３の番号の登録を受け付ける。このようにすれば居住者が車両３を自由に登録でき、その際に管理人の手を煩わせることもないので利便である。
【００１９】
読取装置１６はＣＰＵ等からなり、カメラ装置１２の撮影した車両画像から車両３の番号を読み取るように構成されている。車両画像からの番号の読取は従来の画像処理、例えばＯＣＲ等によって行えばよい。
【００２０】
照合装置１７は、ＣＰＵ等からなり、読取装置１６の読み取った車両３の番号が登録装置１５に登録されているか否かを照合するように構成されている。照合装置１７は、その照合が成功したときには、通信装置１４を介して、同車両番号に対応した住戸の住宅情報盤２０に帰宅通知を伝送する。そうすれば車両３の運転者、すなわち居住者が集合住宅住棟に入るよりも早く帰宅通知を行うことができる。またその居住者は帰宅通知のために特段の操作をする必要もない。一方車両３の番号の照合が失敗したとき、すなわち車両３が不審車両の場合は、管理室情報盤２２に不審車両を通報する。そうすれば管理人が不審車両の運転者に注意、警告を行う等の対処を迅速に行えるようになる。これは特に夜間の防犯に役立つと考えられる。
【００２１】
録画装置１８はメモリカード等からなりカメラ装置１２の撮影した車両画像を蓄積するように構成されている。蓄積した車両画像は、前記のように不審車両が駐車場２４に入場した証拠とすることができる。
【００２２】
なおカメラ装置１２は駐車場２４から出場していく車両３を撮影し、照合装置１７はその車両画像から読み取った車両３の番号を照合して、その照合に成功した場合には、当該住戸の居住者の出場通知を対応した住戸の住宅情報盤２０又は管理室情報盤２２に伝送してもよい。そうすれば住宅情報盤２０又は管理室情報盤２２は、当該住戸で防犯設定がされているか否かを判定し、防犯設定がされていなければその旨を居住者の携帯電話等に通知できる。
【００２３】
図２（ａ）は前記登録装置における車両の番号の記憶態様を示すテーブルの例である。登録装置はテーブルＴ１に示すように住戸番号に関連付けて車両番号記憶いている。例えば住戸番号１０１に関連付けて、車両番号「神戸ＸＸＸＸ−ＹＹＹＹ」が記憶されている。
【００２４】
図３は本実施形態の基本動作の例を説明するフローチャートである。車両の番号は予め登録されていることを想定し、説明を省略する。
【００２５】
ステップ１０１は車両検知センサを作動させて入場車両を検知する処理である。入場車両を検知するまでこのステップを繰り返す。入場車両を検知したときにはステップ１０２以下を実行する。
【００２６】
ステップ１０２はカメラ装置が周囲の明るさを測定する処理である。ステップ１０３は周囲が暗いときに赤外線照明を行う処理である。ステップ１０４はカメラ装置が入場車両を撮影する処理である。
【００２７】
ステップ１０５は読取装置がカメラ装置の撮影した車両画像から車両の番号を読み取る処理である。ステップ１０６は照合装置１７が読取装置の読み取った車両の番号が登録装置に駐車場を利用する車両の番号として登録されているか否かを照合する処理である。
【００２８】
ステップ１０７は読取装置が車両の番号の照合が成功したか否かを判断する処理である。ステップ１０８は読取装置が車両の番号の照合が成功したときに住戸の住宅情報盤に帰宅通知を伝送する処理である。ステップ１０９は読取装置が車両の番号の照合に失敗したときに管理室情報盤に不審車両を通報する処理である。
【符号の説明】
【００２９】
１      車両照合装置
３      車両
１２    夜間対応カメラ装置
１３    赤外線照明装置
１５    登録装置
１６    読取装置
１７    照合装置
２０    住宅情報盤
２４    駐車場
【図１】
2016192113.tif 000003
【図２】
2016192113.tif 000004
【図３】
2016192113.tif 000005